(57)【特許請求の範囲】
【請求項１】
輪状ステータコア（１）の磁極（１ａ）に輪状インシュレータ（３）を介して巻回されたステータ巻線（２）を覆うためのステータの輪状保護カバーであって、
互いに別体に設けられるとともに、前記輪状ステータコア（１）を挟むように配置された第１及び第２輪状保護カバー（５，６）と、
前記第１及び第２輪状保護カバー（５，６）に設けられた輪状の第１及び第２カバー本体（５０，６０）と、
前記各磁極（１ａ）間のスロット（１ｂ）毎に配置されるとともに、前記第１及び第２カバー本体（５０，６０）の少なくとも一方から、前記第１及び第２カバー本体（５０，６０）の軸方向（Ｂ）に突出する複数の第１及び第２支柱部（５１，６１）と、
前記第１及び第２支柱部（５１，６１）に対向するように前記第１及び第２カバー本体（５０，６０）に設けられた複数の第１及び第２受部（５２，６２）と、
前記第１及び第２カバー本体（５０，６０）の周方向（Ａ）に沿う前記各支柱部（５１，６１）及び前記各受部（５２，６２）の両側に設けられ、前記第１及び第２カバー本体（５０，６０）から前記軸方向（Ｂ）に沿う内方へ向かって先細り状に形成されて、前記各支柱部（５１，６１）及び前記各受部（５２，６２）と前記輪状インシュレータ（３）との間を塞ぐ第１及び第２延出部（５３，６３）と
を備え、
前記第１及び第２支柱部（５１，６１）、前記第１及び第２受部（５２，６２）、及び前記第１及び第２延出部（５３，６３）によって、前記輪状ステータコア（１）の内径側から前記スロット（１ｂ）の内部を隔離する隔壁（７０）が形成されていることを特徴とするステータの輪状保護カバー。
【発明の詳細な説明】
【技術分野】
【０００１】
本発明は、例えばレゾルバ等のステータの輪状保護カバーに関し、第１及び第２カバー本体に設けられた第１及び第２支柱部、第１及び第２受部、及び前記第１及び第２延出部によって、輪状ステータコアの内径側からスロットの内部を隔離する隔壁を形成することで、スロット内への異物侵入を防止でき、信頼性及び耐久性を向上できるようにするための新規な改良に関するものである。
【背景技術】
【０００２】
従来用いられていたこの種のステータの輪状保護カバーとしては、例えば特許文献１等に示されているものが用いられている。図６は、従来のステータ構造を示す平面図である。図において、輪状ステータコア１には、周方向Ａに互いに間隔を置いて内方へ向けて突出する複数の磁極１ａが設けられており、これら各磁極１ａにはステータ巻線２が巻回されている。前記輪状ステータコア１と前記ステータ巻線２との間には、前記輪状ステータコア１の両面で前記輪状ステータコア１と前記ステータ巻線２とを互いに電気的に絶縁する輪状インシュレータ３が設けられている。
【０００３】
次に、図７は、図６の輪状ステータコア１に輪状保護カバーが取り付けられた状態を示す平面図である。図７に示すように、輪状ステータコア１の両面には、第１及び第２輪状保護カバー５，６が取り付けられる。なお、図７は輪状ステータコア１の片面のみを示しているため、第１輪状保護カバー５のみを図示している。第１及び第２輪状保護カバー５，６は、互いに別体に形成されており、前記輪状ステータコア１を挟むように配置されている。これら第１及び第２輪状保護カバー５，６は、輪状ステータコア１の両面でステータ巻線２を覆っている。
【０００４】
次に、図８は、図７の輪状保護カバーの要部を示す平面図である。図において、第１輪状保護カバー５は、輪状の第１カバー本体５０と、この第１カバー本体５０に一体に設けられた支柱部５１とを有している。支柱部５１は、磁極１ａ間のスロット１ｂに挿入されており、第２輪状保護カバー６に向けて延出されている。第１及び第２輪状保護カバー５，６が輪状ステータコア１に取り付けられた際に、支柱部５１は第２輪状保護カバー６に当接される。そして、第２輪状保護カバー６の支柱部５１が当接されている部分に超音波振動が加えられて、支柱部５１が第２輪状保護カバー６に溶着される。
【０００５】
次に、図９は、図８とは異なる形態の輪状保護カバーの要部を示す平面図である。図８の形態では、支柱部５１はスロット１ｂに挿入されているのみであったが、図９に示すように、支柱部５１が磁極１ａの端部１ｃに沿って延出される場合もある。これにより、支柱部５１及び各輪状保護カバー５，６の位置決めと、支柱部５１のステータ巻線２への接触回避とが図られる。
【０００６】
【特許文献１】特開平１１−９８７６９号公報
【発明の開示】
【発明が解決しようとする課題】
【０００７】
上記のような従来のステータの輪状保護カバーでは、図８のように支柱部５１がスロット１ｂに挿入されているのみの場合は当然のことながら、図９のように支柱部５１が磁極１ａの端部１ｃに沿って延出される場合でも、輪状保護カバー５，６の支柱部５１と、輪状インシュレータ３との間に隙間が存在するので、この隙間からスロット１ｂ内に異物が侵入することがあり、信頼性及び耐久性が悪くなっている。
【０００８】
本発明は、上記のような課題を解決するためになされたものであり、その目的は、輪状ステータコアの内径側からのスロット内への異物侵入を防止でき、信頼性及び耐久性を向上できるステータの輪状保護カバーを提供することである。
【課題を解決するための手段】
【０００９】
本発明に係るステータの輪状保護カバーは、輪状ステータコアの磁極に輪状インシュレータを介して巻回されたステータ巻線を覆うためのステータの輪状保護カバーであって、互いに別体に設けられるとともに、前記輪状ステータコアを挟むように配置された第１及び第２輪状保護カバーと、前記第１及び第２輪状保護カバーに設けられた輪状の第１及び第２カバー本体と、前記各磁極間のスロット毎に配置されるとともに、前記第１及び第２カバー本体の少なくとも一方から、前記第１及び第２カバー本体の軸方向に突出する複数の第１及び第２支柱部と、前記第１及び第２支柱部に対向するように前記第１及び第２カバー本体に設けられた複数の第１及び第２受部と、前記第１及び第２カバー本体の周方向に沿う前記各支柱部及び前記各受部の両側に設けられ、前記第１及び第２カバー本体から前記軸方向に沿う内方へ向かって先細り状に形成されて、前記各支柱部及び前記各受部と前記輪状インシュレータとの間を塞ぐ第１及び第２延出部とを備え、前記第１及び第２支柱部、前記第１及び第２受部、及び前記第１及び第２延出部によって、前記輪状ステータコアの内径側から前記スロットの内部を隔離する隔壁が形成されていることを特徴とする。
【発明の効果】
【００１０】
本発明のステータの輪状保護カバーによれば、第１及び第２支柱部、第１及び第２受部、及び前記第１及び第２延出部によって、輪状ステータコアの内径側からスロットの内部を隔離する隔壁を形成することで、輪状ステータコアの内径側からのスロット内への異物侵入を防止でき、信頼性及び耐久性を向上できる。
【発明を実施するための最良の形態】
【００１１】
以下、本発明を実施するための最良の形態について、図面を参照して説明する。
実施の形態１．
図１は、本発明の実施の形態１によるステータの輪状保護カバーを示す分解斜視図である。なお、ステータの輪状保護カバーの全体としての構成は従来と同様であるので、実施の形態の構成の説明に図６及び図７を援用する。
図６に示すように、輪状ステータコア１には、輪状ステータコア１の周方向Ａに互いに間隔を置いて内方へ向けて突出する複数の磁極１ａが設けられており、これら各磁極１ａにはステータ巻線２が巻回されている。前記輪状ステータコア１と前記ステータ巻線２との間には、前記輪状ステータコア１の両面で前記輪状ステータコア１と前記ステータ巻線２とを互いに電気的に絶縁する輪状インシュレータ３が設けられている。
【００１２】
この輪状ステータコア１には、ステータ巻線２を覆うために、図１に示す第１及び第２輪状保護カバー５，６からなる輪状保護カバーが取り付けられる。第１及び第２輪状保護カバー５，６は、互いに別体に設けられるとともに、輪状ステータコア１を挟むように配置される。
【００１３】
第１輪状保護カバー５は、輪状の第１カバー本体５０と、複数の第１支柱部５１と、複数の第１受部５２と、複数の第１延出部５３とを有している。なお、前記輪状ステータコア１の周方向Ａ、軸方向Ｂ、及び径方向Ｃは、第１カバー本体５０の各方向Ａ，Ｂ，Ｃと同義である。
【００１４】
前記第１支柱部５１は、全体として断面四角形に形成されており、前記第１カバー本体５０から前記軸方向Ｂに突出されている。前記第１支柱部５１の先端には、前記径方向Ｃの内側に凹部５１ａが設けられている。前記第１受部５２は、前記径方向Ｃの内側に向けて開口するように断面コ字状に配置された壁部によって構成されており、前記周方向Ａに沿って前記第１支柱部５１と交互に設けられている。前記第１延出部５３は、前記周方向Ａに沿う前記第１支柱部５１及び前記第１受部５２の両側に設けられており、前記第１カバー本体５０から前記軸方向Ｂに沿う内方へ向かって先細り状に形成されている。
【００１５】
同様に、第２輪状保護カバー６は、輪状の第２カバー本体６０と、複数の第２支柱部６１と、複数の第２受部６２と、複数の第２延出部６３とを有している。なお、前記輪状ステータコア１の周方向Ａ、軸方向Ｂ、及び径方向Ｃは、第２カバー本体６０の各方向Ａ，Ｂ，Ｃと同義である。
【００１６】
前記第２支柱部６１は、断面Ｔ字状に形成されており、前記第２カバー本体６０から前記軸方向Ｂに突出されている。前記第２受部６２は、全体として断面四角形に形成された突出部であり、前記径方向Ｃの内側に凸部６２ａが設けられている。前記第２支柱部６１及び前記第２受部６２は、前記周方向Ａに沿って交互に配置されている。前記第２延出部６３は、前記周方向Ａに沿う前記第２支柱部６１及び前記第２受部６２の両側に設けられており、前記第２カバー本体６０から前記軸方向Ｂに沿う内方へ向かって先細り状に形成されている。
【００１７】
第１及び第２輪状保護カバー５，６は、第１支柱部５１が第２受部６２に対向するとともに、第２支柱部６１が第１受部５２に対向するように、前記周方向Ａに位置合わせされて、前記輪状ステータコア１に取り付けられる。
【００１８】
次に、図２は、図１の第１支柱部５１と第２受部６２とを示す断面図である。第１及び第２輪状保護カバー５，６が前記輪状ステータコア１に取り付けられた場合、図２に示すように、第２受部６２の凸部６２ａが第１支柱部５１の凹部５１ａに挿入される。つまり、第１支柱部５１が設けられている各位置、すなわち周方向Ａに互いに間隔をおいた複数の位置で、凸部６２ａが凹部５１ａに挿入される。これにより、第１及び第２輪状保護カバー５，６の前記径方向Ｃへの移動が規制される。なお、第１及び第２輪状保護カバー５，６が前記輪状ステータコア１に取り付けられた後に、第２輪状保護カバー６の第２受部６２が設けられている位置に超音波振動が加えられ、第１支柱部５１及び第２受部６２が互いに溶着される。
【００１９】
次に、図３は、図１の第２支柱部６１と第１受部５２とを示す断面図である。第１及び第２輪状保護カバー５，６が前記輪状ステータコア１に取り付けられた場合、図３に示すように、第２支柱部６１が第１受部５２の側壁部５２ａ間に挿入される。これにより、第１及び第２輪状保護カバー５，６の前記周方向Ａへの移動が規制される。
【００２０】
次に、図４は、図１の第１支柱部５１を示す平面図であり、第１輪状保護カバー５が輪状ステータコア１に取り付けられた状態を示している。図において、前記第１支柱部５１は、輪状ステータコア１の磁極１ａ間に設けられたスロット１ｂ内に挿入されている。第１支柱部５１の前記径方向Ｃの内側には、磁極１ａの端部１ｃに沿う凹部であるインロー部５１ｂが設けられている。すなわち、各第１支柱部５１は、各磁極１ａの端部１ｃに沿ってスロット１ｂ内に挿入されている。なお、図１に示すように、第２支柱部６１にも第２インロー部６１ａが設けられており、各第２支柱部６１も各磁極１ａの端部１ｃに沿ってスロット１ｂ内に挿入される。
【００２１】
次に、図５は、図１の第１及び第２輪状保護カバー５，６が輪状ステータコア１に取り付けられた状態を示す斜視図であり、輪状ステータコア１を内径側から見た状態を示している。図において、輪状インシュレータ３は、各磁極１ａから前記軸方向Ｂに突出する縁部３０を有している。この縁部３０の前記周方向Ａに沿う両側には円弧状の外縁部３０ａが設けられている。この外縁部３０ａが円弧状に形成されているのは、磁極１ａにステータ巻線２を巻回する自動巻線機のニードルが、磁極１ａの外周を円滑に周回できるようにするためである。従って、前記第１及び第２延出部５３，６３は、先細り状に形成されることで、外縁部３０ａの外形に沿うように形成されており、前記各支柱部５１，６１及び前記各受部５２，６２と前記輪状インシュレータ３との間を塞いでいる。つまり、前記支柱部５１，６１、前記受部５２，６２、及び前記延出部５３，６３によって、前記輪状ステータコア１の内径側からスロット１ｂの内部を隔離する隔壁７０が形成されている。この隔壁７０によって、スロット１ｂ内への異物侵入を防止でき、信頼性及び耐久性を向上できる。
【００２２】
なお、実施の形態１では、第１及び第２支柱部５１，６２は、互いに異なる形状であるように説明したが、同一形状でもよい。
【００２３】
また、実施の形態１では、第１カバー本体５０に第１支柱部５１が設けられ、第２カバー本体６０に第２支柱部６１が設けられるように説明したが、第１及び第２支柱部が第１及び第２カバー本体のいずれか一方にのみに設けられてもよい。
【図面の簡単な説明】
【００２４】
【図１】本発明の実施の形態１によるステータの輪状保護カバーを示す分解斜視図である。
【図２】図１の第１支柱部と第２受部とを示す断面図である。
【図３】図１の第２支柱部と第１受部とを示す断面図である。
【図４】図１の第１支柱部を示す平面図である。
【図５】図１の第１及び第２輪状保護カバーが輪状ステータコアに取り付けられた状態を示す斜視図である。
【図６】従来のステータ構造を示す平面図である。
【図７】図６の輪状ステータコアに輪状保護カバーが取り付けられた状態を示す平面図である。
【図８】図７の輪状保護カバーの要部を示す平面図である。
【図９】図８とは異なる形態の輪状保護カバーの要部を示す平面図である。
【符号の説明】
【００２５】
１  輪状ステータコア
１ａ  磁極
１ｂ  スロット
２  ステータ巻線
３  輪状インシュレータ
５，６  第１及び第２輪状保護カバー
５０，６０  第１及び第２カバー本体
５１，６１  第１及び第２支柱部
５２，６２  第１及び第２受部
５３，６３  第１及び第２延出部
【図１】
0005097921.tif 000002
【図２】
0005097921.tif 000003
【図３】
0005097921.tif 000004
【図４】
0005097921.tif 000005
【図５】
0005097921.tif 000006
【図６】
0005097921.tif 000007
【図７】
0005097921.tif 000008
【図８】
0005097921.tif 000009
【図９】
0005097921.tif 000010